(57)【要約】【課題】  吊物の下端側を別途支持することなく吊物の吊り傾斜角度を任意の角度で壁などの掛面に吊り掛けることのできる吊り傾斜角度自在な吊り具を提供することにある。【解決手段】  吊物１の裏面側１ａの任意位置に左右の吊り紐２，３を介して吊持する吊り盤４、吊り盤４の左右両側に設けられた左右の各吊り紐係合縦軸５，６、左右の吊り紐係合縦軸５，６の側周面に形成された螺旋係合溝７，８などから構成した。【選択図】        図１
0003105477.tif 000002
【実用新案登録請求の範囲】
【請求項１】
吊物が掛けられる掛面に着脱自在に係止され且つ吊物の裏面側の任意位置で左右の吊り紐を介して吊物を吊持する吊り盤を設け、該吊り盤の左右両側に側周面に左回りの螺旋係合溝が形成された左側吊り紐係合縦軸と側周面に右回りの螺旋係合溝が形成された右側吊り紐係合縦軸とを設け、吊り盤の左右両側の上記吊り紐係合縦軸の螺旋係合溝に任意の中間部分がそれぞれ螺旋状に係合される左右の上記各吊り紐の上下両端を吊物の裏面側の左右の上下側に設けられた吊り紐連結具にそれぞれ連結し、吊物の吊持時に吊り盤の左右両側の上記各吊り紐係合縦軸の螺旋係合溝に螺旋状に係合される左右の吊り紐の任意位置の係合部分と螺旋係合溝との接触摩擦抵抗による係止により、掛面に係止される吊り盤に対して吊物を任意の吊り傾斜角度で吊るようにしたことを特徴とする吊り傾斜角度自在な吊り具。
【考案の詳細な説明】
【技術分野】
【０００１】
この考案は、例えば額縁、掛け時計などの吊物を壁などの掛面に掛ける場合に吊物を吊って掛けるために使用される吊り具に係り、特に、吊物の下端側を別途支持することなく吊物の吊り傾斜角度を任意の角度で壁などの掛面に吊り掛けることのできる吊り傾斜角度自在な吊り具に関するものである。
【背景技術】
【０００２】
例えば額縁を壁などの掛面に掛ける場合において、額縁の裏面側を壁などの掛面に当接させて平行にして額縁を掛ける以外に、額縁の下端を壁などの掛面に当接させ上端を壁から手前側に離し額縁を壁などの掛面に対して傾けて掛ける場合もある。
【考案の開示】
【考案が解決しようとする課題】
【０００３】
しかしながら、例えば額縁を壁などの掛面に対して傾けて掛ける場合、手前側に傾く額縁の上部側を紐などで吊持しようとすると、壁などの掛面に当接する額縁の下端側を別途支える必要があり、このため、額縁の下端側を支える支持具を壁などの掛面に取り付ける必要があった。
【０００４】
この考案は、上記のような課題に鑑み、その課題を解決すべく創案されたものであって、その目的とするところは、吊物の下端側を別途支持することなく吊物の吊り傾斜角度を任意の角度で壁などの掛面に吊り掛けることのできる吊り傾斜角度自在な吊り具を提供することにある。
【課題を解決するための手段】
【０００５】
以上の目的を達成するために、この考案は、吊物が掛けられる掛面に着脱自在に係止され且つ吊物の裏面側の任意位置で左右の吊り紐を介して吊物を吊持する吊り盤を設け、該吊り盤の左右両側に側周面に左回りの螺旋係合溝が形成された左側吊り紐係合縦軸と側周面に右回りの螺旋係合溝が形成された右側吊り紐係合縦軸とを設け、吊り盤の左右両側の上記吊り紐係合縦軸の螺旋係合溝に任意の中間部分がそれぞれ螺旋状に係合される左右の上記各吊り紐の上下両端を吊物の裏面側の左右の上下側に設けられた吊り紐連結具にそれぞれ連結し、吊物の吊持時に吊り盤の左右両側の上記各吊り紐係合縦軸の螺旋係合溝に螺旋状に係合される左右の吊り紐の任意位置の係合部分と螺旋係合溝との接触摩擦抵抗による係止により、掛面に係止される吊り盤に対して吊物を任意の吊り傾斜角度で吊るようにした手段よりなるものである。なお、吊り紐にはチェーンやピアノ線、針金などの物を吊る場合に使用される線状のものも含まれる。
【考案の効果】
【０００６】
以上の記載より明らかなように、この考案に係る吊り傾斜角度自在な吊り具によれば、例えば額縁や掛け時計などの吊物の下端側を別途支持することなく吊物の吊り傾斜角度を任意の角度で壁などの掛面に吊り掛けることができるという極めて実用的有益なる効果を奏するものである。
【考案を実施するための最良の形態】
【０００７】
以下、図面に記載の考案を実施するための最良の形態に基づいて、この考案をより具体的に説明する。
ここで、図１は全体背面図、図２（Ａ）は吊り傾斜角度が大きい場合の側面図、図２（Ｂ）は吊り傾斜角度が小さい場合の側面図である。
【０００８】
図において、吊り傾斜角度自在な吊り具は、吊物１の下端側を別途支持することなく吊物１の吊り傾斜角度を任意の角度で壁などの掛面ａに吊り掛けることのできるもので、例えば額縁や掛け時計などからなる吊物１の裏面側１ａの任意位置に左右の吊り紐２，３を介して吊持する吊り盤４、吊り盤４の左右両側に設けられた左右の各吊り紐係合縦軸５，６、左右の吊り紐係合縦軸５，６の側周面に形成された螺旋係合溝７，８などから構成される。なお、吊り紐２，３にはチェーンやピアノ線、針金などの物を吊る場合に使用される線状のものも含まれる。
【０００９】
例えば額縁からなる吊物１の裏面側１ａには、その中央を挟んでその左右両側の上下部分の左右対称位置の４箇所に、左上部吊り紐連結具１１ａ、左下部吊り紐連結具１１ｂ、右上部吊り紐連結具１２ａ、右下部吊り紐連結具１２ｂがそれぞれ設けられている。左上部吊り紐連結具１１ａ、左下部吊り紐連結具１１ｂには左側の吊り紐２の上下両端が連結されている。右上部吊り紐連結具１２ａ、右下部吊り紐連結具１２ｂには右側の吊り紐３の上下両端が連結されている。
【００１０】
吊り盤４の左右両側には、縦方向に軸芯を有する左側吊り紐係合縦軸５と右側吊り紐係合縦軸６とがそれぞれ設けられている。左側吊り紐係合縦軸５及び右側吊り紐係合縦軸６の上下両端は、吊り盤４の上下端側に互いに同一方向に平行な断面コ字状に形成された上縁片４ａと下縁片４ｂとの内面側に固定されている。
【００１１】
上縁片４ａと下縁片４ｂとは縦片４ｃによって連結されている。つまり縦片４ｃの上下両端に上縁片４ａと下縁片４ｂとがこれに直角に形成されている。縦片４ｃの中央には吊り盤４を壁などの掛面ａに例えば引っ掛けて係止するための係止孔４ｄが形成されている。
【００１２】
吊り盤４の左右両側に設けられた左側吊り紐係合縦軸５及び右側吊り紐係合縦軸６の側周面には、互いに左右対称な向きの螺旋係合溝７，８がそれぞれ形成されている。左側吊り紐係合縦軸５及び右側吊り紐係合縦軸６の側周面の螺旋係合溝７，８は、数回巻きの逆向きの螺旋状に形成されている。
【００１３】
このうち、左側吊り紐係合縦軸５の螺旋係合溝７は、その螺旋方向が左ネジ方向に形成されている。つまり左側吊り紐係合縦軸５を左回りに回した場合に前進する方向に螺旋係合溝７が形成されている。螺旋係合溝７は左側吊り紐係合縦軸５の側周面に右側から左側に向けて斜め上き方向に沿って形成されている。
【００１４】
この左側吊り紐係合縦軸５の螺旋係合溝７には、吊物１の裏面側１ａの左側の左上部吊り紐連結具１１ａ、左下部吊り紐連結具１１ｂに上下両端が連結された左側の吊り紐２の任意の中間部分が螺旋状に数回巻かれて係合されている。螺旋係合溝７の下部側には吊り紐２が挿入されるリングガイド７ａが取り付けられていて、吊り紐２が螺旋係合溝７から外れないようにガイドされている。
【００１５】
吊り紐２の上下端と螺旋係合溝７の間の吊り紐２が張った状態で、螺旋係合溝７に螺旋状に数回巻かれた吊り紐２の任意位置の係合部分は螺旋係合溝７との接触摩擦抵抗によって係止される。つまり螺旋係合溝７の左側吊り紐係合縦軸５が左側に設けられた吊り盤４は、吊り紐２の係合部分と螺旋係合溝７との接触摩擦抵抗によって上下方向への移動が阻止される。
【００１６】
また、右側吊り紐係合縦軸６の螺旋係合溝８は、その螺旋方向が右ネジ方向に形成されている。つまり右側吊り紐係合縦軸６を右回りに回した場合に前進する方向に螺旋係合溝８が形成されている。螺旋係合溝８は右側吊り紐係合縦軸６の側周面に左側から右側に向けて斜め上き方向に沿って形成されている。
【００１７】
この右側吊り紐係合縦軸６の螺旋係合溝８には、吊物１の裏面側１ａの右側の右上部吊り紐連結具１２ａ、右下部吊り紐連結具１２ｂに上下両端が連結された右側の吊り紐３の任意の中間部分が螺旋状に数回巻かれて係合されている。螺旋係合溝８の下部側には吊り紐３が挿入されるリングガイド８ａが取り付けられていて、吊り紐３が螺旋係合溝８から外れないようにガイドされている。
【００１８】
吊り紐３の上下端と螺旋係合溝８の間の吊り紐３が張った状態で、螺旋係合溝８に螺旋状に数回巻かれた吊り紐３の任意位置の係合部分は螺旋係合溝８との接触摩擦抵抗によって係止される。つまり螺旋係合溝８の右側吊り紐係合縦軸６が右側に設けられた吊り盤４は、吊り紐３の係合部分と螺旋係合溝８との接触摩擦抵抗によって上下方向への移動が阻止される。
【００１９】
このように、吊り盤４は、左右の吊り紐２，３が張った状態で、その左右両側の吊り紐係合縦軸５，６の螺旋係合溝７，８が吊り紐２，３との接触摩擦抵抗によって、上下方向への移動が阻止される。そして、吊り盤４は、その左右両側が上下方向への移動が阻止されることになるため、その結果、左右方向への移動も阻止されることになる。そして、吊り盤４は、吊物１の裏面側１ａの４箇所の左上部吊り紐連結具１１ａ、左下部吊り紐連結具１１ｂ、右上部吊り紐連結具１２ａ及び右下部吊り紐連結具１２ｂと、吊り紐２，３によって所謂４点１極吊持の状態になっている。
【００２０】
上下左右方向への移動が阻止された吊り盤４には、左右の張った状態の吊り紐２，３を介して吊物１が吊持されている。このため、この吊り盤４を壁などの掛面ａに引っ掛けて係止すると、上下左右方向への移動が阻止された吊り盤４によって吊物１も上下左右方向への移動が阻止され、これにより、壁などの掛面ａに係止される吊り盤４に対して、左右の張った状態の吊り紐２，３を介して吊物１を任意の吊り傾斜角度で吊ることが可能になる。
【００２１】
次に、上記考案を実施するための最良の形態の構成に基づく作用について以下説明する。
例えば額縁や掛け時計などの吊物１を壁などの掛面ａに引っ掛ける場合においては、吊物１を吊持したい箇所の掛面ａに例えばフックなどの引掛具を取り付けて固定し、掛面ａに固定した引掛具の頭部に吊り盤４の縦片４ｃに形成された係止孔４ｄを嵌合して、吊り盤４を掛面ａに固定した引掛具に引っ掛けて係止する。掛面ａに固定した引掛具に引っ掛けられる吊り盤４には吊り紐２、吊り紐３を通じて吊物１が吊持されている。
【００２２】
吊り盤４を掛面ａに固定した引掛具に引っ掛けた後に、吊物１の両側を手で掴んで吊物１の下端を掛面ａに当接させ、当接させた吊物１の下端を基準として掛面ａに対して吊物１の傾斜角度を好みの角度にする。
【００２３】
吊物１の傾斜角度を好みの角度に調整時、吊物１の裏面側１ａの左側の上下及び右側の上下に上下両端がそれぞれ連結されている吊り紐２及び吊り紐３はその中間部分の一部が、吊り盤４の両側の吊り紐係合縦軸５の螺旋係合溝７及び吊り紐係合縦軸６の螺旋係合溝８にそれぞれ螺旋状に数回巻かれて係合しているが、吊り紐２及び吊り紐３が張った状態にない場合には、これらの係合部分は螺旋係合溝７，８との間で十分な接触滑りがあるため、吊り紐２及び吊り紐３の係合部分は螺旋係合溝７，８に沿って螺旋状に移動する。
【００２４】
このため、掛面ａに対する吊物１の傾斜角度を好みの角度に調整させることができる。この調整時には、掛面ａに引っ掛けられた吊り盤４が吊り紐２及び吊り紐３に対して相対的に上下方向に移動するが、吊り盤４の吊り紐２及び吊り紐３に対する相対的な上下方向への移動を通じて吊物１の傾斜角度を任意の角度に調整することが可能となる。
【００２５】
例えば吊物１の上部側を手前側に出したい場合つまり吊物１の傾斜角度を大きくしたい場合には、吊り盤４を吊り紐２及び吊り紐３の下部側に相対的に移動させる。逆に吊物１の上部側を掛面ａに近づける場合つまり吊物１の傾斜角度を小さくしたい場合には、吊り盤４を吊り紐２及び吊り紐３の上部側に相対的に移動させる。
【００２６】
このようにして、掛面ａに対して吊物１の傾斜角度を好みの角度に調整した後に、吊物１を掴んでいる手を離すと、吊物１の重さによって裏面側１ａと吊り盤４との間の左右の吊り紐２及び吊り紐３は張った状態になる。
【００２７】
吊り盤４は、左右の吊り紐２，３が張った状態になると、その左右両側の吊り紐係合縦軸５，６の螺旋係合溝７，８が吊り紐２，３との接触摩擦抵抗により、吊り紐２，３が螺旋係合溝７，８を滑らなくなることによって、上下左右方向への移動が阻止される。
【００２８】
これにより、左右の吊り紐２，３によって吊り盤４に吊持されている吊物１は、吊り盤４の上下左右方向への移動が阻止されることによって、掛面ａに対して所望の好みの傾斜角度で固定されて吊持されることになる。
【００２９】
また、掛面ａに対する吊物１の傾斜角度をその後に変えたい場合には、上記同様に吊物１の両側を掴んで傾斜角度を角度を変えた後に吊物１を掴んでいる手を離すのみで、簡単に好みの他の傾斜角度に吊物１を固定することができる。
【００３０】
なお、この考案は上記考案を実施するための最良の形態に限定されるものではなく、この考案の精神を逸脱しない範囲で種々の改変をなし得ることは勿論である。
【図面の簡単な説明】
【００３１】
【図１】この考案を実施するための最良の形態を示す全体背面図である。
【図２】（Ａ）はこの考案を実施するための最良の形態を示す吊り傾斜角度が大きい場合の側面図である。  （Ｂ）はこの考案を実施するための最良の形態を示す吊り傾斜角度が小さい場合の側面図である。
【符号の説明】
【００３２】
１    吊物
１ａ  裏面側
１１ａ  左上部吊り紐連結具
１１ｂ  左下部吊り紐連結具
１２ａ  右上部吊り紐連結具
１２ｂ  右下部吊り紐連結具
２    吊り紐
３    吊り紐
４    吊り盤
４ａ  上縁片
４ｂ  下縁片
４ｃ  縦片
４ｄ  係止孔
５    左側吊り紐係合縦軸
６    右側吊り紐係合縦軸
７    螺旋係合溝
７ａ  リングガイド
８    螺旋係合溝
８ａ  リングガイド
ａ    掛面
【図１】
0003105477.tif 000003
【図２】
0003105477.tif 000004